(57)【要約】      （修正有）【課題】マスク着用者の個人個人の顔の形、鼻の形に合わせて息漏れ防止の板材の寸法を調節できるようにしたマスク用息漏れ防止材を提供する。【解決手段】可撓性があり、ハサミ等で容易に切断可能な細長い板材の片面に粘着剤２を積層し、積層した粘着剤の表面に離形紙を施した衛生マスクに適用する息漏れ防止材１を構成する。使用に当っては、まず息漏れ防止材の離形紙３を剥がし、長さを調節するためハサミ等で切断し、衛生マスクの着用者の鼻の部分の表面に貼り付け、息漏れ防止の板材１を外から強く衛生マスク表面に押し付けて、衛生マスクと、鼻周辺のすき間をなくす。【選択図】図１
0003155828.tif 000002
【実用新案登録請求の範囲】
【請求項１】
可撓性があり、ハサミ等で容易に切断可能な細長い板材の片面に粘着剤を積層し、積層した粘着剤の表面に離形紙を施したことを特徴とする衛生マスクに適用する息漏れ防止材。
【請求項２】
請求項１記載の息漏れ防止材を衛生マスクの息漏れ防止に適用したのち、衛生マスクの表面の色と整合させるための片面に粘着剤を施した幅及び長さが上記息漏れ防止材の寸法よりやや大きくしたことを特徴とするカラーシート。
【考案の詳細な説明】
【技術分野】
【０００１】
衛生マスクの息漏れを防止する防止材、並びに防止材の外見をよくするためのカラーシートに関する。
【背景技術】
【０００２】
衛生マスクはインフルエンザ・風邪、花粉対策等多くの場面で使われているが、マスクを着用する個人個人の顔、形が様々で、国の基準で要求品質される防塵マスクを除いて、一般の衛生マスクではすき間が生じる場合が多く、衛生マスクのすき間から息がもれる割合が２０〜３０％もあると言われている。特に衛生マスク上部、鼻の付け根部分において、鼻の高さ（鼻の山）の曲線にマスクが沿わず、それゆえ、メガネをしたマスク着用者では、鼻周辺からの息が漏れて、メガネが曇る問題が常にあった。このような問題点を従来は、金属や樹脂製の息漏れ防止の板材をマスクの中や、表面に取り付けて解決してきた。また、マスクの内側に鼻の付け根部分のすき間を防ぐスポンジ等を貼り付けて息漏れ防止を改善した株式会社白元の商品名サニーク「快適ガードプロ」はよく知られる。
【先行技術文献】
【特許文献】
【０００３】
【特許文献１】登録実用新案第３０４５９９５号
【考案の概要】
【考案が解決しようとする課題】
【０００４】
本考案は、上記問題を解決するためになされたものである。従来の技術の欠点は、息漏れ防止の板材が、製品にビルトインされているため、マスク着用時に息漏れ防止の板材の位置、長さを変えることが出来なかった。マスク着用者の個人個人の顔の形、鼻の形が異なりすべての人に合うようには設計できてなく、息漏れ防止の板材がビルトインされている為に長さも調節できないことであった。
【０００５】
本来マスクと鼻の付け根の部分のすき間を防ぐには、息漏れ防止の板材をマスク着用者それぞれにあった位置や、長さに合わせて、マスクに適用する必要があった。すなわち息漏れ防止の板材の長さは、長過ぎても、短過ぎても、効果が薄く、鼻の付け根で先端が終る長さが、息漏れを防止をする上で一番効果が得られる。
【０００６】
また衛生マスクで、洗濯し繰り返し使えるタイプのマスクで息漏れ防止の板材をビルトインしている製品は  洗濯後、マスクの変形で、息漏れ防止の板材が変形してダメになったり、息漏れ防止の板材そのものが、マスク本体を傷つけてダメにしてしまう傾向があった。
【課題を解決するための手段】
【０００７】
請求項１記載の息漏れ防止材は、可撓性があり、ハサミ等で容易に切断可能な細長い板材の片面に粘着剤を積層し、積層した粘着剤の表面に離形紙を施したことを特徴とする衛生マスクに適用する息漏れ防止材は、長さを切断し、調節する事が出来、個々人の顔の形状に合わすことができることで、より効果の高い息漏れ防止が可能になる。
請求項２記載のカラーシートは、最近流行しつつある、カラーマスクの上に貼り付けた息漏れ防止材の表面にさらに貼り付けることで、カラーマスクのオシャレ性を損なうことがなくなる。
【０００８】
本考案の可撓性のある板材としては、曲げた時、その形状を保ち復元しにくいものである必要があり、薄い金属板、硬質プラスチックなどがあり、硬質プラスチックの板材としては、例えば、三井化学株式会社製の商品名「テクノロート」が優れている。
【考案の効果】
【０００９】
マスクと鼻の付け根部分のすき間を防ぐには、息漏れ防止の板材をマスクの鼻の位置の部分に離形紙３を剥離して粘着剤面をマスクの上に貼ることにより、息漏れをより効果的に防ぐことができる。
息漏れ防止の板材の長さは、長過ぎても、短過ぎても、効果が薄く、鼻の付け根で息漏れを防止の板材の先端が終る長さが一番効果が得られる。
【００１０】
そのためには、息漏れ防止材の長さが、調節できる必要があった。長さを切断して用いることができる息漏れ防止材は、個人個人の鼻の形、長さにふさわしい、寸法になり、より息漏れ防止の効果が得られる。
【００１１】
マスクの表面に後から貼り付けることで、ビルトインでなく、つけたり、外したりできることで、洗濯後のマスクの変形による息漏れ防止の板材の変形や、マスク本体への傷が解消できる。最新のカラーマスクにもカラーシートをあとから貼り付けることで、カラーマスクのオシャレ性を損なうこともない。
【図面の簡単な説明】
【００１２】
【図１】この考案に係わる息漏れ防止材の斜視図
【図２】この考案に係わる息漏れ防止材の正面図
【図３】この考案に係わる息漏れ防止材の平面図
【図４】息漏れ防止の板材を衛生マスクに貼り付けていない状態の斜視図
【図５】息漏れ防止の板材を衛生マスクに貼り付けたあとの斜視図
【図６】この考案に係わる息漏れ防止材に適用するカラーシートの斜視図
【図７】息漏れ防止の板材を衛生マスクに貼り付け、その上にカラーシートを貼り付けた斜視図
【考案を実施するための形態】
【００１３】
本考案の実施の形態については図面を参照して説明する。
図１は本考案による息漏れ防止材の斜視図である。
可撓性があり、ハサミ等で容易に切断可能な細長い板材の片面に粘着剤を積層し、積層した粘着剤の表面に離形紙を施した衛生マスクに適用する息漏れ防止材。図２は  息漏れ防止材の正面図で、図３は息漏れ防止材の平面図である。
【００１４】
息漏れ防止材を衛生マスクの着用者の鼻の部分の表面に貼り付けるのであるが、まず息漏れ防止材の離形紙３を剥がし、長さを調節するためハサミ等で切断し、衛生マスク５の着用者の鼻の部分の表面に貼り付け、息漏れ防止の板材１を外から強く衛生マスク５表面に押し付けて、衛生マスク５と、鼻周辺のすき間をなくす。すると図４の形状であった衛生マスク５は図５のように鼻の形に沿った形状に変わる。
この状態が、衛生マスク５からの息漏れを防止できる形状である。
【００１５】
息漏れ防止の板材１が長過ぎると、息漏れ防止の板材１の両先端が鼻の付け根を過ぎて、頬の部分にまでのびることになり、この状態は鼻の付け根のすき間を大きくしてしまい、一方息漏れ防止の板材１が短過ぎると、息漏れ防止の板材１の両先端が鼻の付け根まで届かず、鼻の山の途中で終ってしまうため、この状態は、長過ぎた場合と同様鼻の付け根のすき間が空いてしまう。長過ぎても、短過ぎても息漏れ防止の効果は薄く、息漏れ防止の板材１を個人個人に合った長さに切断する必要がある。
【００１６】
図6はこの考案に係わる息漏れ防止材に適用する一面に粘着剤を施したカラーシート４の斜視図で、図７は  息漏れ防止の板材を衛生マスク５に貼り付け、その上に粘着剤を施したカラーシート４を貼り付けた後の斜視図であり、カラーマスクの上に貼り付けた息漏れ防止の板材とカラーマスクの表面のカラーの整合性をたもつために、カラーシート４を貼り付けた状態である。
【産業上の利用可能性】
【００１７】
衛生マスクはインフルエンザ・風邪、花粉対策等多くの場面で使われているが、マスクを着用する個人個人の顔や形が様々で、国の基準で要求品質される本格的な防塵マスクを除いて、一般の衛生マスクではすき間が生じる場合が多く、衛生マスクのすき間から息もれる割合が２０〜３０％もあると言われている。特に、衛生マスク上部、鼻の付け根部分において、鼻の高さ（鼻の山）の曲線にマスクが沿わず、それゆえ、メガネをしたマスク着用者では、鼻周辺からの息が漏れて、メガネが曇る問題が常にあった。
【００１８】
本考案の息漏れ防止材は、マスクの表面に後から貼り付ける方法なので、従来衛生マスクのビルトインされた息漏れ防止の板材付きマスクに、更にその上から取り付けることで、従来マスクの息漏れをより効果を高めることが可能になる。
マスクを必要とする、インフルエンザ、風邪、や花粉の季節に役立てられる一方、マスクを日常必要とされる食品分野、医療分野でのマスク着用者にとっても役立つものと考えられる。
【符号の説明】
【００１９】
１  息漏れ防止の板材
２  粘着剤
３  離形紙
４  カラーシート
５  衛生マスク
【図１】
0003155828.tif 000003
【図２】
0003155828.tif 000004
【図３】
0003155828.tif 000005
【図４】
0003155828.tif 000006
【図５】
0003155828.tif 000007
【図６】
0003155828.tif 000008
【図７】
0003155828.tif 000009